(57)【特許請求の範囲】
【請求項１】
複数の項目からなる第１の項目群から所定の項目を選択することが可能な第１回転操作部材と、
複数の項目からなる第２の項目群から所定の項目を選択することが可能な前記第１回転操作部材とは異なる第２回転操作部材と、
撮影動作を制御する制御手段と、
前記第１回転操作部材および前記第２回転操作部材が選択した項目に対応する設定を変更するための第１設定変更手段とを備え、
前記制御手段は、前記第１の項目群に含まれる項目については、選択された項目に対応する設定のみを有効とし、前記第２の項目群に含まれる項目については、選択された項目に依らず、前記第２の項目群のそれぞれに対応する各設定を有効として撮影動作を制御し、
前記第２の項目群には、前記第１回転操作部材で選択された項目に対応する設定を変更することを前記第１設定変更手段に許可する項目が含まれる
ことを特徴とする撮影装置。
【請求項２】
前記第２の項目群には、前記第２回転操作部材が選択している項目に依らず設定が維持される第１項目種と、前記第２回転操作部材が選択した項目の設定が変更された時点で該変更された設定が有効になる第２項目種の、少なくとも一方が含まれることを特徴とする請求項１に記載の撮影装置。
【請求項３】
前記第２の項目群には、少なくとも前記第２項目種が含まれ、該第２項目種の少なくとも１つの設定の変更は、前記第１設定変更手段の他１以上の別の設定変更手段により変更可能であり、前記第１設定変更手段によって設定を変更できる種類は、前記別の設定変更手段によって設定を変更できる種類より少ないことを特徴とする請求項２に記載の撮影装置。
【請求項４】
前記第１回転操作部材または前記第２回転操作部材が選択した項目に対応する設定を変更するための第１設定変更手段を有し、該第１設定変更手段によって、前記設定が変更可能であることを表示する表示手段を備えることを特徴とする請求項１〜３の何れか一項に記載の撮影装置。
【発明の詳細な説明】
【技術分野】
【０００１】
本発明は、露出モードの設定の他、露出モードとは独立した各種機能の設定が行える撮像装置に関する。
【背景技術】
【０００２】
デジタルカメラなどの撮像装置では、露出モード（絞り優先、シャッタ速度優先等）や、露出モードにおいて適用される各種の設定モード（ホワイトバランス、ＩＳＯ等）を回転操作部材で設定する構成が知られている（特許文献１参照）。しかし、特許文献１の構成では、露出モードと設定モードが同じ回転操作部材に配置されているため設定モードを変更するために回転操作部材が設定モード位置に設定されている間、露出モードを特定することができず、撮影を行うことができない。一方、特許文献２のように露出モードのみを回転操作部材に配置した場合には、特許文献３のように液晶表示による階層メニュー画面において設定する構成も知られている。
【先行技術文献】
【特許文献】
【０００３】
【特許文献１】特開２００５−２５７７２６号公報
【特許文献２】特開２０１２−２１７２１６号公報
【特許文献３】特開２００３−２３００４８号公報
【発明の概要】
【発明が解決しようとする課題】
【０００４】
しかし、設定モードの数が多いと、それらに割り付けられる専用のボタンをカメラに配置することが困難となる。また、多数の設定モードをメニュー画面で選択する場合には、設定のためのメニューの階層が深くなり設定手順が複雑となる。そのため、設定モードの変更に手間取り、シャッタチャンスを逃してしまう可能性がある。
【０００５】
本発明は、操作性に優れた撮像装置を提供することを目的としている。
【課題を解決するための手段】
【０００６】
本発明の撮影装置は、複数の項目からなる第１の項目群から所定の項目を選択することが可能な第１項目選択手段と、複数の項目からなる第２の項目群から所定の項目を選択することが可能な前記第１項目選択手段とは異なる第２項目選択手段と、撮影動作を制御する制御手段とを備え、制御手段は、第１の項目群に含まれる項目については、選択された項目に対応する設定のみを有効とし、第２の項目群に含まれる項目については、選択された項目に依らず、第２の項目群のそれぞれに対応する各設定を有効として撮影動作を制御することを特徴としている。
【０００７】
第１項目選択手段または前記第２項目選択手段が選択した項目に対応する設定を変更するための第１設定変更手段を有し、第２の項目群には、例えば前記第１項目選択手段で選択された項目に対応する設定を変更することを第１設定変更手段に許可するか否かを設定する項目が含まれる。
【０００８】
例えば、第１項目選択手段が選択した項目に対応する設定を変更するために用いることができる第１設定変更手段と、第２項目選択手段が選択した項目に対応する設定を変更するために用いることができる第２設定変更手段とを備える。
【０００９】
例えば、第２の項目群には、第２項目選択手段が選択している項目に依らず設定が維持される第１項目種と、第２項目選択手段が選択した項目の設定が変更された時点で該変更された設定が有効になる第２項目種の、少なくとも一方が含まれる。
【００１０】
第２の項目群には、少なくとも前記第２項目種が含まれ、該第２項目種の少なくとも１つの設定の変更は、第１設定変更手段の他１以上の別の設定変更手段により変更可能であることが好ましい。
【００１１】
例えば、第２の項目群には、少なくとも第２項目種が含まれ、該第２項目種の少なくとも１つの設定の変更は、第１設定変更手段の他１以上の別の設定変更手段により変更可能であり、第１設定変更手段によって設定を変更できる種類は、別の設定変更手段によって設定を変更できる種類より少ない。
【００１２】
第１項目選択手段または第２項目選択手段が選択した項目に対応する設定を変更するための第１設定変更手段を有し、該第１設定変更手段によって、設定が変更可能であることを報知する報知手段を備えることが好ましい。
【発明の効果】
【００１３】
本発明によれば、操作性に優れた撮像装置を提供することができる。
【図面の簡単な説明】
【００１４】
【図１】本発明の一実施形態であるカメラの背面斜視図である。
【図２】図１のカメラの電気的な構成を示すブロック図である。
【図３】第１実施形態における露出モード選択、設定モード選択、変更可能な各設定値、各状態において撮影に使用される露出モードの間の関係を示す表である。
【図４】モードダイヤルでＴｖモード、機能ダイヤルでホワイトバランスが選択された状態と、そのときのステータス表示器の表示状態を示す図である。
【図５】設定ダイヤルに無効機能（無効位置）（●）の選択項目がない場合の図３に対応する表を示す。
【図６】設定モードＡ、Ｂにおける選択可能な設定値と、設定ダイヤルで選択可能な設定値の関係を示す表である。
【図７】機能ダイヤルで選択される設定モードＢに対応する設定値を変更するための設定ダイヤルを用いた設定値の変更処理について説明する図である。
【図８】機能ダイヤルで選択される設定モードＢ’に対応する設定値を変更するための設定ダイヤルを用いた設定値の変更処理について説明する図である。
【図９】機能ダイヤルで選択される設定モードＢ”に対応する設定値を変更するための設定ダイヤルを用いた設定値の変更処理について説明する図である。
【図１０】第２実施形態における露出モード選択、設定モード選択、変更可能な各設定値、各状態において撮影に使用される露出モードの間の関係を示す表である。
【図１１】モードダイヤルでＴｖモード、機能ダイヤルでホワイトバランス／露出モード設定優先機能（●）が選択された状態と、そのときのステータス表示器の表示状態を示す図である。
【発明を実施するための形態】
【００１５】
以下、本発明の実施の形態を、図面を参照して説明する。図１は、本発明の撮像装置の一実施形態であるカメラを背面上方から見た斜視図である。
【００１６】
カメラ１０は、例えばデジタルカメラである。図１に示されるように、カメラ本体（光学装置本体）１００の背面には、ライブビューや撮影画像、メニュー画面、各種機能の設定状況や画像情報などが表示されるＬＣＤなどのモニタ（画像表示モニタ）１２が配置され、モニタ１２の上方には、ファインダ１３が配置される。すなわち、ユーザは、モニタ１２に表示されるライブビュー、あるいはファインダ１３内の被写体像を見ながら撮影を行う。
【００１７】
ファインダ１３の左隣りにはライブビューボタン（ＬＶ）１４、測光切替ボタン１５が配置され、ファインダ１３の右斜め上には、ファインダ１３の視度調整ダイヤル１６が配置される。また、モニタ１２の右側には、ホワイトバランス、ドライブ、カスタムイメージ、バックライトの各機能にも対応する４方向ボタン３２Ｌ、３２Ｕ、３２Ｒ、３２Ｄ、ＯＫボタン３３、ＩＮＦＯボタン３４、ＭＥＮＵボタン３５、測距点移動ボタン３６、再生ボタン３７、グリーンボタン３８、などのスイッチ群１７が配置される。背面において、スイッチ群１７の上方であってカメラ本体１００の頂面近くには、後電子ダイヤル（第１操作部材）１８、およびＡＦボタン１９、ＡＥ−Ｌボタン２０が配置される。
【００１８】
なお、図１においてカメラ本体１００の右側は、右手把持部２１として構成され、スイッチ群１７の右側周縁部には、滑り止めのグリップゴム２１Ｒが貼られ、カメラ本体１００の前面側には、親指以外の右手の指で握る、前方に突き出したグリップ部２１Ｇが設けられる。
【００１９】
図１において、カメラ本体１００の頂面左端には、モードダイヤル（第１項目選択手段）２２が設けられる。一方、カメラ本体１００の頂面右端には、背面側角部近くに設定ダイヤル２３が設けられ、その前隣りには照明ボタン３９、左隣りには、ＬＣＤなどのステータス表示器２４が配置される。また、カメラ本体１００の頂面において、ステータス表示器２４の前方左側には、機能ダイヤル（第２項目選択手段）２６と、機能ダイヤル２６の同軸下側に動画／静止画切替レバー２７が設けられている。
【００２０】
グリップ部２１Ｇの頂面には、露出補正ボタン２８とＩＳＯボタン２９が並列して配置され、それらの前方には、シャッタボタン３０が配置される。また、グリップ部２１Ｇの前面であって、シャッタボタン３０の直ぐ下には、前電子ダイヤル３１が配置される。なお、図１において、カメラ１０の撮影光軸は直線Ｌで示される。
【００２１】
図２は、図１のカメラ１０の電気的な構成の概略を示すブロック図である。図２を参照してカメラ１０の電気的な構成の概略について説明する。
【００２２】
カメラ１０は、交換レンズ２００とカメラ本体１００から構成される。カメラ本体１００は、シャッタボタン３０、スイッチ群１７などを含む操作スイッチ群（入力手段）１０２を備える。制御部（ＣＰＵ）１０１は、ＲＯＭ（不図示）等に保存される制御プログラムに従いデジタルカメラ１０全体の制御を行う。
【００２３】
制御部１０１は、デジタルカメラ１０に内蔵されたＴＴＬ露出計（図示せず）で測定された測光値に基づき、露出モードに応じて絞り／シャッタ駆動部１０４を介して絞り２０２やシャッタ１０５を駆動制御する。より詳細には、絞り２０２及びシャッタ１０５の駆動制御は、後述するプログラムＡＥ、シャッタ速度優先ＡＥ、絞り優先ＡＥ、感度優先ＡＥなど、ユーザにより選択されるＡＥ機能に基づいて行われる。また、制御部１０１は、ＡＥ制御と併せてレンズ駆動部１０３を介して撮影レンズ２０１のＡＦ制御を行う。ＡＦ制御には、アクティブ方式、位相差検出方式、コントラスト検出方式等が適用される。
【００２４】
被写体からの光束は、撮影レンズ２０１、絞り２０２、シャッタ１０５を通過してイメージセンサ１０６により受光される。イメージセンサ１０６は、例えばＣＣＤイメージセンサやＣＭＯＳイメージセンサであり、画像信号は信号処理部１０７へ出力される。信号処理部１０７は、後述するように画像信号を設定されたＩＳＯ感度に応じたゲインで増幅し、画像処理部（画像処理エンジン）１０８に出力する。
【００２５】
画像処理エンジン１０８は、信号処理部１０７より入力される信号に対して色補間、マトリクス演算、Ｙ／Ｃ分離等の所定の信号処理を施して輝度信号Ｙ、色差信号Ｃｂ、Ｃｒを生成し、ＪＰＥＧ等の所定のフォーマットで圧縮する。バッファメモリ１０９は、画像処理エンジン１０８による処理の実行時、処理データの一時的な保存場所として用いられる。
【００２６】
カードインタフェース（Ｉ／Ｆ）１１０のカードスロットには、メモリカード１１１が着脱可能に差し込まれている。画像処理エンジン１０８は、カードインタフェース１１０を介してメモリカード１１１と通信可能である。画像処理エンジン１０８は、生成された圧縮画像信号（撮影画像データ）をメモリカード１１１（又はデジタルカメラ１０に備えられる不図示の内蔵メモリ）に保存する。撮影画像データの保存処理と共に画像処理エンジン１０８は、撮影画像データを所定のフォーマットの画像信号に変換し、画像表示モニタ制御部１１２に出力してもよい。画像表示モニタ制御部１１２は、画像処理エンジン１０８より入力される画像信号を基に撮影後の確認用画像を画像表示モニタ１１３に所定時間表示させる。画像表示モニタ１１３は、例えばＬＣＤである。
【００２７】
また、画像表示モニタ１１３には、操作スイッチ群１０２の操作と連動する各種設定メニューが表示可能であり、ユーザは同メニューを見ながらスイッチ操作を行い、各種設定を行うことができ、設定されたパラメータ値等を画面に表示させることもできる。
【００２８】
本実施形態では、モードダイヤル２２が露出モード選択用の回転操作部（第１項目選択手段）として機能し、機能ダイヤル２６が後述する設定モード選択用の回転操作部材（第２項目選択手段）として機能する。また、モードダイヤル２２で選択されるモードにおける露出決定因子の設定値（設定）や、機能ダイヤル２６で選択される機能の挙動等を設定する設定値（設定）の変更を行う設定変更用の操作部材（第１または第２設定変更手段）１１６として、図１の後電子ダイヤル１８、設定ダイヤル２３、前電子ダイヤル３１の内の１以上のダイヤルが機能する。
【００２９】
本実施形態のモードダイヤル２２は、複数の露出モードの中から１つの露出モード（第１の項目群）が選択可能である。図示例において露出モードは、被写体の状況（シーン）を自動認識し、最適と思われるプログラムラインと露出値や画像処理を自動設定するオートモード（ＡＵＴＯ）、所定プログラムラインにしたがってシャッタ速度と絞り値を自動設定するプログラムモード（Ｐ）、任意に設定されたＩＳＯ感度に合わせて絞り値とシャッタ速度を自動設定する感度優先モード（Ｓｖ）、任意に設定されたシャッタ速度に合わせて絞り値を自動設定するシャッタ優先モード（Ｔｖ）、任意に設定された絞り値に合わせてシャッタ速度を自動設定する絞り優先モード（Ａｖ）、任意に設定された絞り値とシャッタ速度に合わせてＩＳＯ感度を自動設定するシャッタ＆絞り優先モード（ＴＡｖ）、シャッタ速度と絞り値をユーザが手動設定するマニュアルモード（Ｍ）、バルブモード（Ｂ）、フラッシュ同調モード（Ｘ）などである。また、図示例のモードダイヤル２２には、ユーザがよく使う露出モードを含む設定を記憶可能なユーザモード（Ｕ１〜Ｕ５）が用意されている。つまり、本実施形態では、露出モードに関する設定のみがモードダイヤル２２に割り当てられている。
【００３０】
例えば、第１実施形態では、後電子ダイヤル１８を、モードダイヤル２２により、Ａｖモード、ＴＡｖモード、Ｍモード、Ｘモード、Ｂモードの何れかの項目が選択されているときに、ダイヤルを左右に回転させることで、選択中の露出モードに対応する変数として、絞り値（設定、設定値）の変更が行え、Ｓｖモードが選択されているときに、ＩＳＯ感度の変更が行える操作部材（第１設定変更手段）として用い、Ｐモードが選択されているときに、プログラムシフトが行える操作部材（第１設定変更手段）として用い、更に、前電子ダイヤル３１を、モードダイヤル２２により、Ｔｖモード、ＴＡｖモード、Ｍモードの何れかの項目が選択されているとき、ダイヤルを左右に回転させることでシャッタ速度（設定、設定値）の変更が行える操作部材（第１設定変更手段）としても用いる。なお、変更される設定（設定値）は、ファインダ１３内や、画像表示モニタ１１３、ステータス表示器２４等に表示される。
【００３１】
また、本実施形態では、カメラ１０の様々な機能のうち、モードダイヤル２２で選択される露出モードとは、別に設定変更可能な複数の機能（本明細書では設定モードと呼ぶ）、例えばモードダイヤル２２で選択される露出モードに依存しない機能、すなわち独立した機能を１つ選択できる機能ダイヤル２６を、モードダイヤル２２とは別体として設けている。本実施形の機能ダイヤル２６では、例えばＷｉＦｉ機能（ＷＩ−ＦＩ）、画像サイズ選択機能（撮像素子の有効領域選択機能）（Ｃｒｏｐ）、手ぶれ補正機能（ＳＲ）、グリッド線表示機能（Ｇｒｉｄ）、ＨＤＲ撮影機能（ＨＤＲ）、ブラケット撮影機能（ＢＫＴ）、連写撮影スピード設定機能（ＣＨ／ＣＬ）、感度設定機能（ＩＳＯ）、露出補正機能（＋／−）、無効機能（●）などの項目（第２の項目群）が選択できる。そして、第１実施形態では、設定ダイヤル２３を、機能ダイヤル２６で選択された機能（項目）の挙動等を設定する設定（値）を変更するためのダイヤル式の操作部材（第２設定変更手段）として用いる。なお、機能ダイヤル２６においても、ユーザがよく使う所定の設定モードを割り付け可能な構成としてもよい。例えば、手振れ補正機能を転用したモアレ緩和機能（ＬＰＳ）のＯｆｆ／Ｏｎ（強）／Ｏｎ（弱）が選択できても良い。
【００３２】
例えば、機能ダイヤル２６で、ＷｉＦｉ機能（ＷＩ−ＦＩ）、手ぶれ補正機能（ＳＲ）、グリッド線表示機能（Ｇｒｉｄ）の何れかが選択されているときには、ユーザは設定ダイヤル２３を操作することにより、これらの機能のオン／オフを切り替えることができる。また画像サイズ選択機能（Ｃｒｏｐ）が選択されているときには、設定ダイヤル２３を回転操作することで、画像サイズ（撮像素子の有効範囲）が例えばＡｕｔｏ／ＦＦ／ＡＰＳ−Ｃの間で循環的に選択され、ＨＤＲ撮影機能（ＨＤＲ）が選択されているときには、設定ダイヤル２３を回転操作することで、ＨＤＲ撮影が、例えばＡｕｔｏ／Ｔｙｐｅ１／Ｔｙｐｅ２／Ｔｙｐｅ３／Ａ−ＨＤＲ／ｏｆｆの間で循環的に選択される。ブラケット撮影機能（ＢＫＴ）が選択されているときには、設定ダイヤル２３を回転操作すると、ΔＥＶ値が変更され、連写撮影スピード設定機能（ＣＨ／ＣＬ）が選択されているときには、設定ダイヤル２３を回転操作することで、連写スピードが例えばＨ／Ｍ／Ｌの３段階と連写停止（単写）から選択される。また感度設定機能（ＩＳＯ）では、ＩＳＯ値の変更、露出補正機能（＋／−）では、露出補正値を変更する。なお、変更される設定値は、ファインダ１３内や、画像表示モニタ１１３、ステータス表示器２４等に表示される。
【００３３】
ユーザは、従来から撮影中に頻繁に変更されることが想定される露出モードとは別に、撮影中に頻繁に変更しつつ撮影したい機能があれば、その機能（項目）を機能ダイヤル２６で選択し、設定ダイヤル２３を操作することで、スイッチ群１７等を利用した画像モニタ１１３上のメニュー操作による撮影中断を挟むことなく、シャッタボタン３０による撮影指示の待機状態を維持したまま、所望の機能（項目）の設定値を変更することができる。
【００３４】
設定ダイヤル２３は、ユーザがカメラを構えた状態で（撮影姿勢のまま）、親指のみを使用して（親指の腹を設定ダイヤル２３に押しつけながら回転）操作されることを前提にしている。一方、機能ダイヤル２６は、ユーザが構えを解き、ダイヤル部を複数の指で摘まんで回転操作することを前提としている。そのため設定ダイヤル２３は、右手把持部２１を握る右手親指で容易に操作できる位置、すなわちカメラ本体１００の右手把持部２１の頂面後方角部に設けられる。これに対して機能ダイヤル２６は、撮影動作中に操作されるものではなく、複数の指で積極的にダイヤル部を摘まんで回転操作することを前提にしているので、設定ダイヤル２３よりも撮影光軸Ｌより（右手把持部２１に対して離れた側）に配置される。
【００３５】
一方、機能ダイヤル２６は、ダイヤル部をユーザが摘み易いように、その位置を設定ダイヤル２３よりも高くしている。また、摘み易いように、その厚さも設定ダイヤル２３よりも厚く設定される。更に意図せずに機能選択が変更されないように、機能ダイヤル２６の回転負荷は、設定ダイヤル２３の回転負荷よりも相対的に大きい。上述の通り、設定ダイヤル２３は、使いやすさを最優先させた位置に配置すべきであるが、そうすることによって不用意に（意図せず）設定が変更されてしまうというデメリットがある。そこで本実施形態の機能ダイヤル２６では、設定ダイヤル２３の機能（回転操作による設定値変更）を無効にする無効機能（無効位置）（●）の選択が可能である。これは何れの機能の設定変更も予定していないにもかかわらず、設定ダイヤル２３が意図せず操作され、設定が変更されてしまうことを防止するためのものである。
【００３６】
後電子ダイヤル１８も設定ダイヤル２３と同様に、カメラを構えた状態で右手親指を用いて操作されることを前提としている。そのため後電子ダイヤル１８も右把持部２１を握る右手親指で簡単に操作できるように、設定ダイヤル２３よりも撮影光軸Ｌ側、かつ低い位置に配置される。すなわち、設定ダイヤル２３のポジションからユーザが親指を左側へ少し傾けると後電子ダイヤル１８のポジションに親指が位置する。なお、後電子ダイヤル１８と設定ダイヤル２３の位置関係は、逆にすることも可能である。また、ここで「高い／低い」とは、長方形の撮像素子の受光面の短辺方向を上下方向、長辺方向が左右方向としている。
【００３７】
以上のように本実施形態では、モードダイヤル（第１項目選択手段）２２と、機能ダイヤル（第２項目選択手段）２６が別体として設けられ、かつモードダイヤル２２では撮影に必要な露出モード（項目）を選択し、機能ダイヤル２６では、露出モードとは独立した機能（項目）を選択する構成としたことで、機能ダイヤル２６が操作中（設定モードの選択中）であっても、露出モードはモードダイヤル２２より常に確定している。そのため、機能ダイヤル２６を操作中にシャッタチャンスが訪れた場合には選択された露出モードの設定のみを有効として、シャッタボタン３０を直ちに操作して、モードダイヤル２２で選択されている露出モードで撮影が可能である。そして、露出モードとは独立し、競合しない機能ダイヤル２６の設定モードの設定は、それぞれ常に有効とすることができる。
【００３８】
また、モードダイヤル２２とは別体の機能ダイヤル２６を設けることには、以下のような効果もある。すなわち、従来は単一のダイヤル上に露出モード設定のための回転位置（第１項目）と、その他の機能設定のための回転位置（第２項目）とが混在して設けられていた。これに対して本実施形態では、モードダイヤル２２に露出モード設定を行うための回転位置（第１項目）のみを設け、モードダイヤル２２とは別体の機能ダイヤル２６に露出モード以外の機能設定を行うための回転位置（第２項目）を設けた。これにより、それまで混在していた露出設定とそれ以外の機能設定を、露出モード設定のための「軸」と露出モード以外の機能設定のための「軸」の２軸に分離し、従来よりもすっきりとユーザに両設定の違い（例えば独立性）を認識／実感させることができる。その結果、カメラのユーザインタフェース全体の世界観（例えば構成や仕様等）がよりシンプルとなり、ユーザが短時間で直感的に使用することができる「道具」となり得る。
【００３９】
なお図３に、第１実施形態におけるモードダイヤル２２による露出モード選択と、機能ダイヤル２６による設定モード選択と、後電子ダイヤル１８、前電子ダイヤル３１、設定ダイヤル２３により変更可能な各設定値と、各状態においてシャッタボタン３０が操作されたときに使用される露出モードとの関係を示す。また図４に、モードダイヤル２２が、Ｔｖ（シャッタ優先）モードに対応する位置に合わせられ、機能ダイヤル２６がホワイトバランス（ＷＢ）に対応する位置に合わせられた状態と、そのときのステータス表示器２４あるいは画像表示モニタ１１３の表示状態の表示状態を示す。
【００４０】
ステータス表示器２４あるいは画像表示モニタ１１３の表示状態には、モードダイヤル２２により現在選択されている露出モードが、Ｔｖモードであることと、同モードにおいて現在設定されているシャッタ速度が１／１２５、Ｆ値がＦ５．６、ＩＳＯ感度が４００、露出補正が＋０．３ＥＶであることが示されるとともに、機能ダイヤル２６により現在選択されている設定モードがホワイトバランス（ＷＢ）で、その設定値がオートホワイトバランス（ＡＷＢ）あることが示される。図４の例では、設定変更用の操作ダイヤル（１８、３１、２３等）により現在設定変更可能な設定値が枠で囲まれてステータス表示器２４に示される。すなわち、図４では、シャッタ速度（１／１２５）と、ホワイトバランス設定値（ＡＷＢ）が枠で囲まれている。
【００４１】
なお、図４の例では、一例として２つの設定値が枠で囲まれているが、３つのダイヤル（１８、３１、２３等）の回転操作が有効である場合には、３つの設定値が枠で囲まれる。また、図３、４の例では、図１の機能ダイヤル２６に図示されていない、ホワイトバランス（ＷＢ）が選択項目として便宜的に例示され、他の幾つかの設定モードが省略されているが、当然のことながら、設定モードは図１の機能ダイヤル２６に示されるものでもよいし、他の機能に対応するものであってもよい。
【００４２】
なお、モードダイヤル２２と機能ダイヤル２６とに、それぞれ別の設定値変更用の操作部材を割り当てた場合、設定ダイヤル２３の機能を無効にする無効機能（無効位置）（●）は、必ずしも必要ではない。図５に、設定ダイヤル２３に無効機能（無効位置）（●）の選択項目がない場合の図３に対応する表を示す。また、後電子ダイヤル１８、前電子ダイヤル３１の一方のみを選択された露出モードの設定値の設定変更用操作部材とすることもできる。
【００４３】
次に、図６、図７、図８、図９を参照して、本実施形態において機能ダイヤル２６で選択される設定モードに対応する設定値を変更するための設定ダイヤル２３を用いた設定値の変更処理について説明する。
【００４４】
本実施形態では、設定値などの設定のされ方（選択肢のバリエーション、設定を有効化する操作、設定後の挙動）が異なる４種類の設定モードＡ、Ｂ、Ｂ’、Ｂ”における設定変更動作を例示する（図６参照）。そのうち特に特徴的な挙動に着目すると、機能ダイヤル２６によって選択することができる項目に、少なくとも、機能ダイヤル２６で選択された項目に依らず設定が有効となる種類の設定値（第１項目種、設定ダイヤル２３による設定を、当該位置以外でも維持する）と、機能ダイヤル２６で選択された項目（位置）に対応する設定が当初設定されていた場合でも、機能ダイヤル２６が当該位置に位置した時点では設定は有効化されず、設定ダイヤル２３が操作された時点でその設定が有効になる種類の設定値（第２項目種）とが存在することである。
【００４５】
例えば機能ダイヤル２６において、４つの設定モードＡ〜Ｄが選択可能である場合を例に説明する。なお、以下の説明では設定モードＢ’、Ｂ”は、設定モードＢの代替的な変形例として説明するが、機能ダイヤル２６において選択可能な別の設定モードとして設けることも可能である。図６に示すように設定モードＡには、選択可能な４つの設定値ａ１〜ａ４が用意され、例えば設定値変更操作部材である設定ダイヤル２３で、これら４つの設定値ａ１〜ａ４の全てが選択可能である。一方、設定モードＢ（設定モードＢ’、Ｂ”）には、選択可能な７つの設定値ｂ１〜ｂ７が用意されているものの、設定ダイヤル２３で、選択可能なのは設定値ｂ３、ｂ７の２つ（用意されているものの一部）である。
【００４６】
これは例えば、設定モードＢ（設定モードＢ’、Ｂ”）の設定値ｂ１〜ｂ７のうち、頻繁に使用する設定値がｂ３とｂ７に限られている場合に、設定モードＡのように設定モードＢ（設定モードＢ’、Ｂ”）に対する全ての設定値ｂ１〜ｂ７を設定ダイヤル２３の操作に合わせて設定可能とすると、設定値は設定ダイヤル２３の操作に応じて例えばｂ１→ｂ２→ｂ３→ｂ４→ｂ５→ｂ６→ｂ７→ｂ１・・・（逆方向も可能）のようにフルセットが順番に切り替えられる。このような構成であると実際に選択されるのはｂ３、ｂ７（サブセット）に限られるにも関わらず、所望の設定値に辿り着くまでの切り替え手順が多くなり設定作業が繁雑となる。そこで設定ダイヤル２３で選択可能な設定値をｂ３とｂ７のみに限定することで、設定モードＢを所望の設定値に迅速に設定できるようにしている。
【００４７】
まず図７を参照して設定モードＢにおける機能ダイヤル２６と設定ダイヤル２３を用いた設定変更動作について説明する。設定モードＢに対して設定ダイヤル２３以外の操作部材によって、例えば設定値ｂ１など設定値ｂ３、ｂ７以外の値が当初設定されている状態で、機能ダイヤル２６が設定モードＢ以外から設定モードＢに位置された場合、設定モードＢの位置に合わせた時点で設定値ｂ３、ｂ７の何れかを選択する（有効化する）構成とすると、例えば設定モードＢの設定値はｂ１に維持したまま機能ダイヤル２６を設定モードＡから設定モードＣへ切り替えようとする際に、設定モードＢの位置を通過した時点で設定値がユーザの意図に反してｂ３あるいはｂ７に変更されてしまう。
【００４８】
そのため本実施形態の設定モードＢにおける機能ダイヤル２６と設定ダイヤル２３を用いた設定値の変更では、機能ダイヤル２６が設定モードＢの位置に合わせられただけでは設定値をｂ３、ｂ７などに変更せず（当初の設定が有効のまま維持される）、更に設定ダイヤル２３が操作されると設定値がｂ３やｂ７に変更され、その設定値が有効となる。
【００４９】
図７は、機能ダイヤル２６の位置を設定モードＡから設定モードＢを経由して設定モードＤへと順次変更した場合のステータス表示器２４あるいは画像表示モニタ１１３の表示と、設定ダイヤル２３を操作して設定モードＢの設定値の変更を行う際のステータス表示器２４あるいは画像表示モニタ１１３の表示例を示す図である。
【００５０】
図７には、例えばモードダイヤル２２がＴｖモードに設定された状態で、機能ダイヤル２６の選択が、設定モードＡから設定モードＢ、Ｃ、Ｄの順で切り替えられた状態（ａ）〜（ｄ）が図の左から右に示される。また、設定モードＢが選択された状態（ｂ）において、設定ダイヤル２３が操作されて設定値がｂ３、ｂ７間で変更されるときのステータス表示器２４あるいは画像表示モニタ１１３の表示切替の様子が下段の（ｅ）、（ｆ）に示される。
【００５１】
図７の状態（ａ）では、ステータス表示器２４あるいは画像表示モニタ１１３には、モードダイヤル２２で選択されているＴｖモードの現在の設定値であるシャッタ速度（１／１２５）が枠で囲まれ、同設定値が例えば前電子ダイヤル３１の操作により変更可能であることが示されている。また、同状態において設定モードＡ〜Ｄの設定値はそれぞれａ１、ｂ１、ｃ１、ｄ１であり、機能ダイヤル２６の位置が設定モードＡに合わされていることから、設定値ａ１が枠で囲まれ、同設定値が設定ダイヤル２３を操作することによりａ１〜ａ４の間で変更可能であることが示されている。
【００５２】
図７の状態（ｂ）には、ユーザが機能ダイヤル２６を時計回りに回転し、隣接する設定モードＢの位置に機能ダイヤル２６を合せた状態が示される。状態（ｂ）では、設定値ｂ１が枠で囲まれ、現在機能ダイヤル２６により選択されている設定モードが設定モードＢであることを示される。このとき同設定値は、設定ダイヤル２３の操作により設定値ｂ３、ｂ７と、機能ダイヤル２６により設定モードＢが選択される前に設定されていた値（図７の例ではｂ１）との間でのみ変更可能である。なお、状態（ｂ）において、Ｔｖモードの設定値であるシャッタ速度（１／１２５）が枠で囲まれ、同設定値が例えば前電子ダイヤル３１で変更可能なことは状態（ａ）と同じであり、これは以下に説明する状態（ｃ）、（ｄ）においても同様である。
【００５３】
状態（ｃ）、（ｄ）は、状態（ｂ）からユーザが機能ダイヤル２６を更に時計回りに回転し、順次隣接する設定モードＣ、Ｄの位置に機能ダイヤル２６を合せた状態が示される。状態（ｃ）では、設定値ｃ１が枠で囲まれ、状態（ｄ）では設定値ｄ１が枠で囲まれる。これにより機能ダイヤル２６により選択されている設定モードがそれぞれ設定モードＣ、Ｄであることを示される。このときそれぞれの状態（ｃ）、（ｄ）において枠で囲まれる設定値は、設定ダイヤル２３の操作により変更可能である。
【００５４】
次に、機能ダイヤル２６により設定モードＢが選択された状態（ｂ）において、設定ダイヤル２３が、例えば所定方向に回転されると枠で囲まれた設定値ｂ１が、例えば設定値ｂ３に変更され、状態（ｅ）となる。状態（ｅ）において更に設定ダイヤル２３が所定方向に回転される枠で囲まれた設定ｂ３が設定値ｂ７に変更され、状態（ｆ）となる。状態（ｆ）において設定ダイヤル２３が更に所定方向に回転されると設定値が再びｂ１となり状態（ｂ）に戻り、所定方向とは逆方向に回転されると設定値はｂ３に戻り、表示状態は状態（ｅ）に戻る。
【００５５】
すなわち、機能ダイヤル２６の設定モードＢで選択（変更）可能な設定値はｂ３、ｂ７のみであるが、設定モードＢが選択された時点で選択されていた当初の設定がｂ３、ｂ７以外であった場合、設定モードＢが選択されただけで、設定値ｂ３またはｂ７が有効となることはなく、設定ダイヤル２３による設定値ｂ３またはｂ７への変更が行われた後に初めてその選択された設定値が有効とされる。そして、一旦設定ダイヤル２３が操作された後は、ｂ３、ｂ７に当初（ｂ１）の設定を選択肢に加えて順次選択可能としている。
【００５６】
次に図８を参照して、設定モードＢ’における機能ダイヤル２６と設定ダイヤル２３を用いた設定変更動作について説明する。設定モードＢ’においても、設定モードＢと同様に、設定モードＢ’における機能ダイヤル２６と設定ダイヤル２３を用いた設定値の変更では、機能ダイヤル２６が設定モードＢ’の位置に合わせられただけでは設定値をｂ３、ｂ７などに変更しない（当初の設定が有効のまま維持される）。すなわち、設定モードＢと同様に、機能ダイヤル２６を設定モードＢ’に合わせた後、設定ダイヤル２３が操作されると初めて設定値がｂ３やｂ７に変更され、その設定値が有効となる。
【００５７】
しかし、設定モードＢ’では、設定モードＢとは異なり、一旦設定ダイヤル２３が操作されると、設定ダイヤル２３の操作では、設定値ｂ３、ｂ７の間でのみ設定値の変更が可能となる。例えばｂ１が設定されている図８の状態（ｂ）において、設定ダイヤル２３が所定方向に回転されると、状態（ｅ）となり設定値がｂ３に変更される。状態（ｅ）において設定ダイヤル２３が所定方向に回転されると、設定値がｂ７の状態（ｆ）となり、更に設定ダイヤル２３が所定方向に回転されると設定値がｂ３となり状態（ｅ）に戻る。また、所定方向とは逆方向に回転されると設定値はｂ７に戻り、表示状態が状態（ｆ）に戻るように設計しても良い。
【００５８】
機能ダイヤル２６によって、設定モードＢ’から他の設定モードに位置変更されると、設定モードＢ’に対する設定は、設定モードＢ’の位置において最終的に（設定モードＢ’から設定モードＣに機能ダイヤル２６が回転させられる直前に）設定された設定値が有効とされる。例えば図８の設定値がｂ７の状態（ｆ）で機能ダイヤル２６が設定モードＣ、Ｄにまで回転されると、設定値がｂ７のまま、図８の状態（ｃ）、状態（ｄ）となり設定モードＢ’に対する設定値はｂ７が有効とされる。
【００５９】
次に図９を参照して、設定モードＢ”における機能ダイヤル２６と設定ダイヤル２３を用いた設定変更動作について説明する。設定モードＢ”では、設定モードＢ、Ｂ’とは異なり、機能ダイヤル２６を設定モードＢ”に位置合わせした時点で設定値をｂ３、ｂ７などに変更し、変更後の設定を有効とする。なお、機能ダイヤル２６による設定モードＢ”選択時に、ｂ３、ｂ７の設定値のうち何れを選択するかは任意であるが、例えば、前回の設定を優先するか、デフォルトで設定される値を決めておいてもよい。
【００６０】
例えば、図９の状態（ａ）のように、機能ダイヤル２６により設定モードＡが選択され、設定モードＢ”の設定値がｂ１のときに、機能ダイヤル２６が操作されて設定モードＢ”の位置に合わせられると、状態（ｂ）となり、設定モードＢ”の設定値は、例えば直ちにｂ３に変更され、ｂ３が有効とされる。機能ダイヤル２６が設定モードＢ”に合わせられた状態で、設定ダイヤル２３が操作されると、設定ダイヤル２３が操作される毎に、ｂ３、ｂ７の間で設定値が交互に切り替えられる。機能ダイヤル２６が、設定モードＢ”の位置から設定モードＣなど他の位置に変更されると、設定モードＢ”の設定値は設定モードＡにおいて有効とされていた値ｂ１に戻される。すなわち、機能ダイヤル２６を用いた設定モードＢ”では、同モードが機能ダイヤル２６で選択されている間のみ、機能ダイヤル２６の設定モードＢ”で設定可能なｂ３、ｂ７の値を有効とすることができる。
【００６１】
設定モードＢ、Ｂ’、Ｂ”の典型例は、連写撮影スピード（ＣＨ／ＣＬ）設定位置である。単写／連写の設定は、通常「ドライブモード」と呼ばれる設定群に含まれる。ドライブモードには例えば、単写、連写（高速・中速・低速）、セルフタイマー（数種）など、シャッタボタン３０の操作に応じた露光動作の様式が多数含まれる（設定値ｂ１〜ｂ７に相当）。そして上述した設定モードＢ、Ｂ’、Ｂ”において、ｂ１＝単写、ｂ３＝連写（低速）、ｂ７＝連写（高速）を対応させることができる。
【００６２】
次に、当初「単写ｂ１」に設定がされた状態で、機能ダイヤル２６が設定モードＡから回転され、連写撮影スピード設定機能（設定モードＢ、Ｂ’、Ｂ”）が選択されたものとして、図７〜図９の操作における、より具体的な設定値の変更の様子を説明する。
【００６３】
設定モードＢを示す図７は、機能ダイヤル２６が連写撮影スピード設定に位置された当初は「単写ｂ１」が有効であり、設定ダイヤル２３の回転に応じて、単写ｂ１、連写（低速）ｂ３、連写（高速）ｂ７が順次設定される。機能ダイヤル２６が当該位置のまま、連写パターンを変更しつつ撮影を行い、最終的に「単写ｂ１」に設定した状態で、設定ダイヤル２６を設定モードＣに回転させた状態までの遷移を示したものである。
【００６４】
設定モードＢ’を示す図８は、機能ダイヤル２６が連写撮影スピード設定に位置された当初は「単写ｂ１」が有効であり、設定ダイヤル２３の回転に応じて、連写（低速）ｂ３、連写（高速）ｂ７が順次設定される（一旦設定ダイヤル２３を操作した後は単写ｂ１に戻ることはない）。機能ダイヤル２６が当該位置のまま、連写パターンを変更しつつ撮影を行い、最終的に「連写（高速）ｂ７」に設定した状態で、設定ダイヤル２６を設定モードＣに回転させた状態までの遷移を示したものである。
【００６５】
設定モードＢ”を示す図９は、機能ダイヤル２６が連写撮影スピード設定に位置される前には「単写ｂ１」が有効であるが、連写撮影スピード設定に位置されたら直ちに連写（低速）ｂ３または連写（高速）ｂ７が設定される。機能ダイヤル２６が当該位置のまま、連写パターンを変更しつつ撮影を行い、最終的に「連写（高速）ｂ７」に設定した状態でも、設定ダイヤル２６を設定モードＣに回転させた場合、連写撮影スピード設定に位置される以前の「単写ｂ１」の設定に戻される状態までの遷移を示したものである。
【００６６】
設定モードＢ、Ｂ’、Ｂ”のいずれの挙動が最適かは、ユーザの好みや被写体の状況にも依存するので、一概には言えないので、ユーザが変更できるようにしても良い。
【００６７】
なお、図６中「他の設定モード下において矛盾が発生しない限り」との記載は、例えば設定モードＣまたはＤがＨＤＲ撮影設定位置やブラケット撮影機能（ＢＫＴ）設定位置であった場合、連写撮影スピード設定位置による設定と競合してしまうが、そのような場合を指すものである。このような場合、後に設定された設定を優先して有効とするが、その場合、一旦無効にした設定を記憶しておけば、競合が解消する時に元の設定に戻すことができる。
【００６８】
以上のように、第１実施形態によれば、露出モードの各項目と設定モードの各項目とを、独立に設定・変更でき、設定モードを変更している最中や設定モードの設定値を変更している最中であっても、露出モードが確定しているので、シャッタボタンを操作すれば、直ちに撮影を行うことができる。すなわち項目の設定、変更が容易で、かつ操作性に優れた撮像装置が得られる。
【００６９】
次に、図１０、図１１を参照して、第２実施形態の撮像装置の構成について説明する。第１実施形態では、モードダイヤル２２と機能ダイヤル２６が、両ダイヤル２２、２６において選択されている項目の設定値を変更するために独立した操作部材（電子ダイヤル１８、３１と設定ダイヤル２３）を備えていたが、第２実施形態では、設定値変更のための操作部材がモードダイヤル２２と機能ダイヤル２６とで共有される。例えば、以下の説明では、後電子ダイヤル１８のみが設定値変更に使用されるとして説明を行なうが、これは設定ダイヤル２３や前電子ダイヤル３１など他の操作部材であってもよい。なお、その他の構成は第１実施形態と同様であるため、その説明を省略する。
【００７０】
設定値変更用の操作部材がモードダイヤル２２で選択される露出モードの設定値の変更と、機能ダイヤル２６で選択される設定モードの設定値の変更とで共用されると、それぞれの変更処理が競合してしまう。そのため、第２実施形態では、第１実施形態の機能ダイヤル２６において設定ダイヤル２３の機能を無効にするために設けられた無効機能（無効位置）（●）を、モードダイヤル２２で選択される露出モードの設定値の変更を後電子ダイヤル１８において優先する露出モード設定優先機能とする。
【００７１】
図１０には、モードダイヤル２２による露出モード選択と、機能ダイヤル２６による設定モード選択と、後電子ダイヤル（設定値変更用操作部材）１８により変更可能な各設定値と、各状態においてシャッタボタン３０が操作されたときに使用される露出モードとの関係を示す。図１１（ａ）には、モードダイヤル２２が、Ｔｖ（シャッタ優先）モードに対応する位置に合わせられ、機能ダイヤル２６がホワイトバランス（ＷＢ）に対応する位置に合わせられた状態と、そのときのステータス表示器２４あるいは画像表示モニタ１１３の表示状態を示す。また図１１（ｂ）には、モードダイヤル２２が、Ｔｖ（シャッタ優先）モードに対応する位置に合わせられ、機能ダイヤル２６が露出モード設定優先機能（●）に対応する位置に合わせられた状態と、そのときのステータス表示器２４あるいは画像表示モニタ１１３の表示状態を示す。
【００７２】
図１１（ａ）に示されるように、機能ダイヤル２６において、露出モード設定優先機能（●）以外の設定モードが選択されているときには、後電子ダイヤル１８は、設定モードの設定値の変更に利用され、図１１（ａ）の例では、オートホワイトバランス（ＡＷＢ）に枠で囲まれ、設定モードとしてホワイトバランスが選択され、この設定値が変更可能であることが示される。一方、図１１（ｂ）のように機能ダイヤル２６において、露出モード設定優先機能（●）が選択されると、表示枠はシャッタ速度（１／１２５）へ移り、モードダイヤル２２がＴｖモードであり、シャッタ速度が後電子ダイヤル１８の操作により変更可能であることが示される。
【００７３】
以上のように、第２実施形態のように設定値変更用の操作部材をモードダイヤルと機能ダイヤルで共用する場合においても、第１実施形態と略同様の効果が得られる。
【符号の説明】
【００７４】
１０  カメラ
１２  モニタ
１３  ファインダ
１７  スイッチ群
１８  後電子ダイヤル
２１  右手把持部
２１Ｇ  グリップ部
２１Ｒ  グリップゴム
２２  モードダイヤル
２３  設定ダイヤル
２４  ステータス表示器
２６  機能ダイヤル
３０  シャッタボタン
３１  前電子ダイヤル
１００  カメラ本体
１０１  制御部（ＣＰＵ）
１０６  イメージセンサ
１０８  画像処理部
１１３  画像表示モニタ
１１６  設定値変更用操作部材
Ｌ  撮影光軸
【図１】
0006696186.tif 000002
【図２】
0006696186.tif 000003
【図３】
0006696186.tif 000004
【図４】
0006696186.tif 000005
【図５】
0006696186.tif 000006
【図６】
0006696186.tif 000007
【図７】
0006696186.tif 000008
【図８】
0006696186.tif 000009
【図９】
0006696186.tif 000010
【図１０】
0006696186.tif 000011
【図１１】
0006696186.tif 000012